(57)【要約】【課題】画像データがモノクロである場合に一部の色に対応する上記現像手段の動作を禁止してその色の現像剤の劣化や消耗を抑制することが、迅速かつ的確に行える画像形成装置、画像形成システム、記録媒体、及び、画像形成装置の制御方法の提供。【解決手段】  モノクロ印刷が指示されていない場合であっても（Ｓ６：Ｎ）、印刷終了後に印刷データがモノクロデータであったと判断された場合は（Ｓ１６：Ｙ）、その印刷データのファイル名及びファイル更新日時を印刷情報として登録する（Ｓ１７）。新たに受信された印刷データのファイル名及びファイル更新日時が上記印刷情報に既に登録されていた場合は（Ｓ７：Ｙ）、感光体ドラムをモノクロにセットして印刷がなされる（Ｓ２１〜Ｓ２４）。すなわち、イエロー，マゼンタ，シアンの感光体ドラムが用紙搬送ベルトから隔離された状態で印刷がなされる。このため、カラートナーの劣化が抑制できる。【選択図】図５
2007322698.tif 000002
【特許請求の範囲】
【請求項１】
それぞれ異なる色に対応する画像データに応じた潜像が形成される複数の像担持体と、
該各像担持体に形成された潜像をそれぞれ異なる色の現像剤で現像する複数の現像手段と、
上記各像担持体に形成された潜像を現像した現像剤を、被記録媒体に重ねて転写する転写手段と、
を備えた画像形成装置であって、
画像データが入力される入力手段と、
該入力手段に入力された画像データが、モノクロの画像データであるか否かを解析する解析手段と、
該解析手段がモノクロの画像データであると解析した場合、その画像データを識別可能な識別情報を記憶する識別情報記憶手段と、
上記入力手段に入力された画像データの識別情報が、上記識別情報記憶手段に記憶された識別情報と一致した場合には、一部の色に対応する少なくとも上記現像手段の動作を禁止する制御手段と、
を備えたことを特徴とする画像形成装置。
【請求項２】
上記解析手段は、上記画像データに多色での画像形成が指示されている場合にのみ上記解析を行うことを特徴とする請求項１記載の画像形成装置。
【請求項３】
上記一部の色に対応する現像手段は、ブラック以外の色に対応する現像手段であることを特徴とする請求項１または２記載の画像形成装置。
【請求項４】
上記識別情報がファイル名であることを特徴とする請求項１記載の画像形成装置。
【請求項５】
上記識別情報がファイル名及び更新日で構成されることを特徴とする請求項１記載の画像形成装置。
【請求項６】
コンピュータを、請求項１〜５のいずれかに記載の上記解析手段、上記識別情報記憶手段、及び上記制御手段として動作させるソフトウェアプログラムを記憶したことを特徴とする記録媒体。
【請求項７】
被記録媒体に画像を形成する画像形成装置と、その画像形成装置に接続された上位装置とによって構成される画像形成システムであって、
上記画像形成装置が、
画像データが入力される入力手段と、
該入力手段に入力された画像データのうちの、それぞれ異なる色に対応する画像データに応じた潜像が形成される複数の像担持体と、
該各像担持体に形成された潜像をそれぞれ異なる色の現像剤で現像する複数の現像手段と、
上記各像担持体に形成された潜像を現像した現像剤を、被記録媒体に重ねて転写する転写手段と、
を備え、
上記上位装置が、
上記画像形成装置の上記入力手段に画像データを出力するデータ出力手段と、
該データ出力手段が出力する画像データが、モノクロの画像データであるか否かを解析する解析手段と、
該解析手段がモノクロの画像データであると解析した場合、その画像データを識別可能な識別情報を記憶する識別情報記憶手段と、
上記データ出力手段が出力する画像データの識別情報が、上記識別情報記憶手段に記憶された識別情報と一致した場合には、一部の色に対応する少なくとも上記現像手段の動作を禁止する指令を上記画像形成装置に出力する指令出力手段と、
を備えたことを特徴とする画像形成システム。
【請求項８】
上記解析手段は、上記画像データに多色での画像形成が指示されている場合にのみ上記解析を行うことを特徴とする請求項７記載の画像形成システム。
【請求項９】
上記一部の色に対応する現像手段は、ブラック以外の色に対応する現像手段であることを特徴とする請求項７または８記載の画像形成システム。
【請求項１０】
上記識別情報がファイル名であることを特徴とする請求項７記載の画像形成システム。
【請求項１１】
上記識別情報がファイル名及び更新日で構成されることを特徴とする請求項７記載の画像形成システム。
【請求項１２】
コンピュータを、請求項７〜１１のいずれかに記載の上記解析手段、上記識別情報記憶手段、及び上記指令出力手段として動作させるソフトウェアプログラムを記憶したことを特徴とする記録媒体。
【請求項１３】
それぞれ異なる色に対応する画像データに応じた潜像が形成される複数の像担持体と、
該各像担持体に形成された潜像をそれぞれ異なる色の現像剤で現像する複数の現像手段と、
上記各像担持体に形成された潜像を現像した現像剤を、被記録媒体に重ねて転写する転写手段と、
を備えた画像形成装置の制御方法であって、
上記画像形成装置に入力された画像データが、モノクロの画像データであるか否かを解析し、
上記画像データがモノクロの画像データであると解析された場合、その画像データを識別可能な識別情報を記憶し、
上記画像形成装置に新たに入力された画像データの識別情報が、上記記憶された識別情報と一致した場合には、一部の色に対応する少なくとも上記現像手段の動作を禁止することを特徴とする画像形成装置の制御方法。
【発明の詳細な説明】
【技術分野】
【０００１】
本発明は、いわゆる電子写真方式によって被記録媒体に画像を形成する画像形成装置に関し、詳しくは、多色画像を形成可能な画像形成装置、その画像形成装置と上位装置によって構成される画像形成システム、上記画像形成装置または上記上位装置を制御するための記録媒体、並びに、上記画像形成装置を制御するための画像形成装置の制御方法に関する。
【背景技術】
【０００２】
従来より、それぞれ異なる色に対応する画像データに応じた潜像が形成される複数の像担持体と、該各像担持体に形成された潜像をそれぞれ異なる色の現像剤で現像する複数の現像手段と、上記各像担持体に形成された潜像を現像した現像剤を、被記録媒体に重ねて転写する転写手段と、を備えた画像形成装置が考えられている。この種の画像形成装置では、例えばイエロー，マゼンタ，シアン，ブラック等の各色毎に、例えば感光体ドラム等の像担持体と、例えば現像ローラ等の現像手段とが設けられている。そして、各色に対応する画像データに応じた静電潜像が像担持体に形成され、現像手段によって上記各色に対応する静電潜像が各色の現像剤で現像される。こうして、各色に対応する静電潜像を現像した各色の現像剤は、転写手段によって例えば用紙等の被記録媒体に重ねて転写され、これによって被記録媒体に多色の画像が形成される。
【０００３】
この種の画像形成装置では、あらゆる場合に全ての色の現像剤を用いて画像形成を行うわけではなく、例えばブラックだけといったように、一部の現像剤のみを用いてモノクロの画像を形成する場合がある。そこで、モノクロの画像を形成する場合は、ブラック以外の色に対応する現像ローラを停止することが提案されている。これによって、ブラック以外の色の現像剤の劣化や消耗を抑制することができる（例えば、特許文献１参照）。
【特許文献１】特開２００４-１７０６５４号公報
【発明の開示】
【発明が解決しようとする課題】
【０００４】
ここで、モノクロの画像を形成するかカラーの画像を形成するかは、上位装置としてのパーソナルコンピュータ（以下、パソコンという）から画像形成装置へ画像データ送信する際に添付されたヘッダ等のデータに基いて判断することが考えられる。ところが、画像データがモノクロであったとしても、使用者がパソコンのプリンタドライバでカラー印刷を指示すると、カラーの画像を形成すべき旨のデータが画像データに添付されてしまう。すると、全ての色に対応する像担持体及び現像手段が駆動されてしまい、上記のようにブラック以外の色の現像剤の劣化や消耗を抑制ことができない。
【０００５】
また、ヘッダ等のデータを参照せず、入力された画像データを全て解析し、その解析結果に基いて画像形成を開始することも考えられる。この場合、画像データがモノクロであるか否かを、画像形成に先立って上記解析によって正確に知ることができる。しかし、入力された全ての画像データをいちいち解析してから画像形成を開始する場合、画像形成に要する時間が長くなり過ぎて実用的でない。
【０００６】
そこで、本発明は、画像データがモノクロである場合に一部の色に対応する上記現像手段の動作を禁止してその色の現像剤の劣化や消耗を抑制することが、迅速かつ的確に行える画像形成装置、画像形成システム、記録媒体、及び、画像形成装置の制御方法の提供を目的としてなされた。
【課題を解決するための手段】
【０００７】
上記目的を達するためになされた本発明の画像形成装置は、それぞれ異なる色に対応する画像データに応じた潜像が形成される複数の像担持体と、該各像担持体に形成された潜像をそれぞれ異なる色の現像剤で現像する複数の現像手段と、上記各像担持体に形成された潜像を現像した現像剤を、被記録媒体に重ねて転写する転写手段と、を備えた画像形成装置であって、画像データが入力される入力手段と、該入力手段に入力された画像データが、モノクロの画像データであるか否かを解析する解析手段と、該解析手段がモノクロの画像データであると解析した場合、その画像データを識別可能な識別情報を記憶する識別情報記憶手段と、上記入力手段に入力された画像データの識別情報が、上記識別情報記憶手段に記憶された識別情報と一致した場合には、一部の色に対応する少なくとも上記現像手段の動作を禁止する制御手段と、を備えたことを特徴としている。
【０００８】
このように構成された本発明の画像形成装置では、解析手段は、入力手段に入力された画像データが、モノクロの画像データであるか否かを解析する。そして、その解析手段がモノクロの画像データであると解析した場合、識別情報記憶手段はその画像データを識別可能な識別情報を記憶する。
【０００９】
制御手段は、上記入力手段に新たに入力された画像データの識別情報が、上記識別情報記憶手段に記憶された識別情報と一致した場合には、一部の色に対応する少なくとも上記現像手段の動作を禁止する。このため、本発明の画像形成装置では、モノクロの画像データが２回目以降に入力された場合は、迅速かつ正確にその画像データがモノクロの画像データであることが判断でき、その判断に基いて一部の色に対応する現像手段の動作を禁止することができる。従って、本発明の画像形成装置では、画像データがモノクロである場合に、そのモノクロ画像に使用されない現像剤の劣化や消耗を抑制することが、迅速かつ的確に行える。
【００１０】
なお、上記解析手段は、上記画像データに多色での画像形成が指示されている場合にのみ上記解析を行ってもよく、この場合、次のような更なる効果が得られる。前述の発明が解決しようとする課題では、モノクロの画像データに対してカラー印刷を指示した場合について説明したが、逆に、本来は多色の画像データであるのにプリンタドライバにてモノクロ印刷が指示される場合もある。この場合は、画像データがモノクロに変換された上で入力手段に入力されるので、その画像データに対して解析手段による解析がなされると、その画像データの識別情報がモノクロの画像データの識別情報として識別情報記憶手段に記憶されてしまう。
【００１１】
そこで、上記のように多色での画像形成が指示されている場合にのみ上記解析を行えば、多色の画像データをモノクロで画像形成するように指示された場合にも、その画像データの識別情報が誤ってモノクロの画像データの識別情報として記憶されてしまうのを防止することができる。
【００１２】
なお、本発明の画像形成装置において、上記一部の色に対応する現像手段は任意に設定することができるが、上記一部の色に対応する現像手段は、例えば、ブラック以外の色に対応する現像手段であってもよい。また、上記識別情報はファイル名であってもよく、上記識別情報はファイル名及び更新日で構成されてもよい。
【００１３】
また、本発明の記録媒体は、コンピュータを、上記いずれかに記載の上記解析手段、上記識別情報記憶手段、及び上記制御手段として動作させるソフトウェアプログラムを記憶したことを特徴としている。このため、本発明の記録媒体に記憶されたソフトウェアプログラムを、画像形成装置のマイクロコンピュータに実行させることで、上記いずれかに記載の画像形成装置を構成することができる。
【００１４】
また、本発明の画像形成システムは、被記録媒体に画像を形成する画像形成装置と、その画像形成装置に接続された上位装置とによって構成される画像形成システムであって、上記画像形成装置が、画像データが入力される入力手段と、該入力手段に入力された画像データのうちの、それぞれ異なる色に対応する画像データに応じた潜像が形成される複数の像担持体と、該各像担持体に形成された潜像をそれぞれ異なる色の現像剤で現像する複数の現像手段と、上記各像担持体に形成された潜像を現像した現像剤を、被記録媒体に重ねて転写する転写手段と、を備え、上記上位装置が、上記画像形成装置の上記入力手段に画像データを出力するデータ出力手段と、該データ出力手段が出力する画像データが、モノクロの画像データであるか否かを解析する解析手段と、該解析手段がモノクロの画像データであると解析した場合、その画像データを識別可能な識別情報を記憶する識別情報記憶手段と、上記データ出力手段が出力する画像データの識別情報が、上記識別情報記憶手段に記憶された識別情報と一致した場合には、一部の色に対応する少なくとも上記現像手段の動作を禁止する指令を上記画像形成装置に出力する指令出力手段と、を備えたことを特徴としている。
【００１５】
このように構成された本発明の画像形成システムでは、解析手段は、データ出力手段が画像形成装置の入力手段に出力する画像データが、モノクロの画像データであるか否かを解析する。そして、その解析手段がモノクロの画像データであると解析した場合、識別情報記憶手段はその画像データを識別可能な識別情報を記憶する。
【００１６】
指令出力手段は、データ出力手段が出力する画像データの識別情報が、上記識別情報記憶手段に記憶された識別情報と一致した場合には、一部の色に対応する少なくとも上記現像手段の動作を禁止する指令を上記画像形成装置に出力する。すると、画像形成装置は、上記一部の色に対応する現像手段は動作させずに他の色に対応する現像手段のみを動作させて画像を形成する。このため、本発明の画像形成システムでは、データ出力手段がモノクロの画像データを２回目以降に出力する場合は、迅速かつ正確にその画像データがモノクロの画像データであることが判断でき、その判断に基いて、画像形成装置に一部の色に対応する現像手段の動作を禁止することができる。従って、本発明の画像形成システムでは、画像データがモノクロである場合に、そのモノクロ画像に使用されない現像剤の劣化や消耗を抑制することが、迅速かつ的確に行える。
【００１７】
なお、上記解析手段は、上記画像データに多色での画像形成が指示されている場合にのみ上記解析を行ってもよく、この場合、次のような更なる効果が得られる。前述の発明が解決しようとする課題では、モノクロの画像データに対してカラー印刷を指示した場合について説明したが、逆に、本来は多色の画像データであるのにプリンタドライバにてモノクロ印刷が指示される場合もある。この場合は、画像データがモノクロに変換された上でデータ出力手段から出力されるので、その画像データに対して解析手段による解析がなされると、その画像データの識別情報がモノクロの画像データの識別情報として識別情報記憶手段に記憶されてしまう。
【００１８】
そこで、上記のように、多色での画像形成が指示されている場合にのみ上記解析を行えば、多色の画像データをモノクロで画像形成するように指示された場合にも、その画像データの識別情報が誤ってモノクロの画像データの識別情報として記憶されてしまうのを防止することができる。
【００１９】
なお、本発明の画像形成システムにおいて、上記一部の色に対応する現像手段は任意に設定することができるが、上記一部の色に対応する現像手段は、例えば、ブラック以外の色に対応する現像手段であってもよい。また、上記識別情報はファイル名であってもよく、上記識別情報はファイル名及び更新日で構成されてもよい。
【００２０】
また、本発明の記録媒体は、コンピュータを、上記いずれかに記載の上記解析手段、上記識別情報記憶手段、及び上記指令出力手段として動作させるソフトウェアプログラムを記憶したものであってもよい。この場合、本発明の記録媒体に記憶されたソフトウェアプログラムを、画像形成装置の上位装置としてのパーソナルコンピュータ等に実行させることで、上記いずれかに記載の画像形成システムを構成することができる。
【００２１】
更に、本発明の画像形成装置の制御方法は、それぞれ異なる色に対応する画像データに応じた潜像が形成される複数の像担持体と、該各像担持体に形成された潜像をそれぞれ異なる色の現像剤で現像する複数の現像手段と、上記各像担持体に形成された潜像を現像した現像剤を、被記録媒体に重ねて転写する転写手段と、を備えた画像形成装置の制御方法であって、上記画像形成装置に入力された画像データが、モノクロの画像データであるか否かを解析し、上記画像データがモノクロの画像データであると解析された場合、その画像データを識別可能な識別情報を記憶し、上記画像形成装置に新たに入力された画像データの識別情報が、上記記憶された識別情報と一致した場合には、一部の色に対応する少なくとも上記現像手段の動作を禁止することを特徴としている。
【００２２】
このように構成された本発明の方法では、画像形成装置に入力された画像データが、モノクロの画像データであるか否かを解析し、その画像データがモノクロの画像データであると解析された場合、その画像データを識別可能な識別情報を記憶する。そして、画像形成装置に新たに入力された画像データの識別情報が、上記記憶された識別情報と一致した場合には、一部の色に対応する少なくとも上記現像手段の動作を禁止する。このため、本発明の画像形成装置の制御方法では、画像形成装置にモノクロの画像データが２回目以降に入力された場合は、迅速かつ正確にその画像データがモノクロの画像データであることが判断でき、その判断に基いて画像形成装置の一部の色に対応する現像手段の動作を禁止することができる。従って、本発明の画像形成装置の制御方法では、画像データがモノクロである場合に、そのモノクロ画像に使用されない現像剤の劣化や消耗を抑制することが、迅速かつ的確に行える。
【発明を実施するための最良の形態】
【００２３】
次に、本発明の実施の形態を、図面を参照して説明する。図１は、本発明が適用された画像形成システムの構成を表す外観図である。図１に示すように、本実施の形態の画像形成システムは、画像形成装置としてのカラーレーザプリンタ（以下、単にプリンタという）１と、そのプリンタ１にケーブル７００を介して接続された上位装置としてのパーソナルコンピュータ（以下、単にパソコンという）８００とから構成されている。なお、プリンタ１とパソコン８００とは、ＬＡＮなどのネットワークや、赤外線通信などを介して接続されていてもよい。
【００２４】
図２はそのプリンタ１の内部構成を表す概略断面図である。図２に例示するプリンタ１は、トナー像形成部４と、用紙搬送ベルト６と、定着部８と、給紙部９と、スタッカー１２と、制御部１０とを備え、被記録媒体としての用紙Ｐに、外部から入力される画像データに応じた４色の画像を形成する。
【００２５】
そして、トナー像形成部４は、４個の現像ユニット５１Ｙ，５１Ｍ，５１Ｃ，５１Ｋと、これらの現像ユニット５１Ｙ，５１Ｍ，５１Ｃ，５１Ｋに貯留された現像剤の一例としてのイエロー，マゼンタ，シアン，及びブラックのトナーによる４つのトナー像形成工程毎に、像担持体の一例としての感光体ドラム３と、その感光体ドラム３を一様に帯電させる帯電器３１と、該帯電後の感光体ドラム３の表面をレーザ光で露光して画像データに応じた静電潜像を形成するスキャナユニット４１とを備えている。なお、スキャナユニット４１は、大部分の図示が省略されており、最終的にレーザ光が出射される部分のみが図示されている。
【００２６】
以下、各構成要素の構成について詳しく説明する。なお、以下の説明において、色毎に区別する必要のある場合は各部の符号にＹ（イエロー），Ｍ（マゼンタ），Ｃ（シアン），Ｋ（ブラック）の添え字を付し、区別する必要のない場合は添え字を省略する。
【００２７】
トナー像形成部４の感光体ドラム３は、略円筒形状の部材で構成され、４つがほぼ等間隔に水平方向に並んで、回動可能に配設されている。なお、感光体ドラム３の略円筒形状の部材は、例えば、アルミニウム製の基材上に、正帯電性の感光層が形成されたものが用いられる。そして、このアルミニウム製の基材は、プリンタ１のグランドラインに接地されている。
【００２８】
また、帯電器３１は、いわゆるスコロトロン型の帯電器であり、感光体ドラム３に対向して、その幅方向に延設される帯電ワイヤ３２と、この帯電ワイヤ３２を納めて感光体ドラム３側を開放したシールドケース３３とで構成され、この帯電ワイヤ３２に高電圧を印加することにより、感光体ドラム３の表面を正極性（例えば＋７００Ｖ）に帯電させる。また、シールドケース３３は、上記感光体ドラム３側の開放部にグリッドを設けた構造となっており、このグリッドに規定の電圧を印加することにより感光体ドラム３の表面がほぼグリッド電圧と同電位に帯電される。
【００２９】
スキャナユニット４１は、各感光体ドラム３に、感光体ドラム３の回転方向の帯電器３１より下流側に配設され、外部より入力される画像データの１色分に応じたレーザー光を光源から出射し、ポリゴンモータにより回転駆動されるポリゴンミラーの鏡面などによりレーザー光を走査して、感光体ドラム３の表面へ照射する。
【００３０】
なお、スキャナユニット４１により、画像データに応じたレーザー光が感光体ドラム３の表面に照射されると、照射された部分の表面電位が低下（＋１５０〜＋２００Ｖ）することにより、感光体ドラム３の表面には、静電潜像が形成される。
【００３１】
また、現像ユニット５１Ｙ，５１Ｍ，５１Ｃ，５１Ｋはそれぞれ、各色のトナーを収納する現像ユニットケース５５に現像手段の一例としての現像ローラ５２を備えた構成を有し、感光体ドラム３の回転方向に対してスキャナユニット４１より下流側で現像ローラ５２が感光体ドラム３に接するように配設される。そして、各現像ユニット５１は、トナーを「＋」（正極性）に帯電させ、均一な薄層として感光体ドラム３へ供給して、現像ローラ５２と感光体ドラム３との接触部において、感光体ドラム３上に形成された「＋」（正極性）の静電潜像に対して、「＋」（正極性）に帯電したトナーを反転現像方式で担持させて上記静電潜像を現像する。
【００３２】
なお、現像ローラ５２は、導電性シリコーンゴムなどを基材として円柱状に構成され、表面にフッ素を含有した樹脂、または、ゴム材のコート層が形成されている。また、現像ユニットケース５５に収納されるトナーは、正帯電性の非磁性１成分トナーであり、現像ユニット５１Ｙ，５１Ｍ，５１Ｃ，５１Ｋに応じて、それぞれイエロー，マゼンタ，シアン，及びブラックのトナーが収容されている。
【００３３】
また、給紙部９は、装置の最下部に設けられており、用紙Ｐを収容する収容トレイ９１と、用紙Ｐを送り出すピックアップローラ９２とから構成されている。そして、収容トレイ９１に収容された用紙Ｐは、ピックアップローラ９２により、給紙部９から１枚ずつ取り出され、搬送ローラ９８，レジストローラ９９を介して用紙搬送ベルト６に送られる。
【００３４】
用紙搬送ベルト６は、感光体ドラム３の幅より狭く、用紙Ｐを上面に担持した状態で、その用紙Ｐと一体に走行するように無端状に構成され、駆動ローラ６２と従動ローラ６３との間に架け渡されている。また、各感光体ドラム３と対向する位置の近傍には、用紙搬送ベルト６を挟んで転写手段の一例としての転写ローラ６１がそれぞれ設けられている。そして、用紙搬送ベルト６は、駆動ローラ６２の回動により、感光体ドラム３と対向する側の表面が、図２に示すように、図中右方向から図中左方向へ移動して、レジストローラ９９から送られて来る用紙Ｐを、感光体ドラム３との間へ順番に搬送して定着部８へ送る。また、用紙搬送ベルト６の駆動ローラ６２で折り返した面には、クリーニングブラシ１０５が設けられている。
【００３５】
また、転写ローラ６１は、感光体ドラム３との間にトナーの帯電極性と逆極性の転写バイアス（例えば−１０〜−１５μＡ）が電流源１１２より印加されて、感光体ドラム３上に形成されたトナー像を用紙搬送ベルト６により搬送される用紙Ｐに転写するように構成されている。なお、図２では、電流源１１２は上記転写バイアスを０Ｖ，定電圧の２種類に切り換え可能なように記載されているが、これは、便宜上そのように図示したものであって、実際には更に多段階に電圧を制御可能に構成されている。更に、現像ローラ５２と転写ローラ６１との間には、感光体ドラム３の表面に担持されたトナー量を検出するためのトナー量センサ１１３が設けられている。
【００３６】
また、クリーニングブラシ１０５は、用紙搬送ベルト６の幅方向に延びた略円筒部材の周囲にブラシが設けられた構成で、用紙搬送ベルト６を挟んで対向する位置に設けられた電極ローラ１０４との間で所定の電位差が印加されて、用紙搬送ベルト６に接触しながら回転するように配設される。また、クリーニングブラシ１０５には、クリーニングブラシ１０５に付着したトナーをクリーニングブラシ１０５から除去する廃トナー除去器１０６と、クリーニングブラシ１０５から除去されたトナーを貯留しておく貯留ボックス１０７とが設けられている。
【００３７】
また、定着部８は、加熱ローラ８１と、加圧ローラ８２とから構成され、トナー像が転写された用紙Ｐを、加熱ローラ８１及び加圧ローラ８２によって狭持搬送しながら加熱及び加圧することにより、トナー像を用紙Ｐに定着させる。
【００３８】
また、プリンタ１の上面にはスタッカー１２が形成されている。このスタッカー１２は、定着部８の排紙側に設けられており、定着部８から排出される用紙Ｐを収容する。また、制御部１０は、後述のように、ＣＰＵ１０Ａ（図４参照）を用いたマイクロコンピュータにより構成され、プリンタ１の動作全般の制御を行う。
【００３９】
ところで、イエロー，マゼンタ，シアンに対応する３個の感光体ドラム３Ｙ，３Ｍ，３Ｃは、いずれも、感光体ドラム３が用紙搬送ベルト６から離間する上方向に移動可能に保持され、４個の感光体ドラム３に対して跨るように設けられた移動部材７２により位置決めされている。なお、移動部材７２は、４個の感光体ドラム３に跨る長さの板状部材で構成され、図２における左右方向に移動可能に保持されている。また、移動部材７２には、左右方向に延びる略クランク形状の３個の誘導穴７２Ａが設けられていて、この誘導穴７２Ａのそれぞれに感光体ドラム３Ｙ，３Ｍ，３Ｃの長手方向側面に設けられた軸３Ａが嵌め込まれる。
【００４０】
そして、移動部材７２には、回転力を左右方向の力に換えるリンク７３を介して、モータ７４が設けられ、制御部１０からの指令信号に応じてモータ７４が回転することにより、移動部材７２が右、または、左方向に移動する。このように、移動部材７２が左方向に移動すると、誘導穴７２Ａが左方向へ移動する際に、感光体ドラム３Ｙ，３Ｍ，３Ｃの軸３Ａが、誘導穴７２Ａの略クランク形状に沿って上方向に移動するため、感光体ドラム３が用紙搬送ベルト６から離間する状態となる。逆に、移動部材７２が右方向の位置にあると、感光体ドラム３は用紙搬送ベルト６に接触する状態となる。また、図３に示すように、ブラックに対応する感光体ドラム３Ｋの軸３Ａは、移動部材７２に左右方向に直線状に設けられた誘導穴７２Ｂにはめ込まれており、移動部材７２の左右方向への移動に関わらず用紙搬送ベルト６に常時接触する。通常は、４個の感光体ドラム３が用紙搬送ベルト６に接触した状態で画像形成がなされる。
【００４１】
以上のような構成の本実施の形態におけるプリンタ１での、用紙Ｐへの画像形成の動作は次のようになる。先ず、給紙部９からピックアップローラ９２により用紙Ｐが１枚供給され、搬送ローラ９８，レジストローラ９９を介して用紙搬送ベルト６へ送られる。次に、図２中一番右側の感光体ドラム３Ｙの表面が、帯電器３１により一様に帯電され、スキャナユニット４１により、イエロー色用の外部から入力された画像データに対応して露光されて、上記のように静電潜像が形成される。次に、この感光体ドラム３Ｙの表面に現像ユニット５１Ｙにおいて正極性に帯電されたイエローのトナーが供給され、現像が行われる。そして、このようにして形成されたトナー像は、用紙搬送ベルト６により搬送される用紙Ｐの表面上に、転写バイアスが印加された転写ローラ６１により転写される。
【００４２】
次に、用紙Ｐが、マゼンタ，シアン，及びブラック用それぞれの感光体ドラム３と対向する位置へ順番に搬送され、イエローのトナーと同様の手順で、トナー像が感光体ドラム３の表面に形成されて、転写ローラ６１により用紙Ｐに重ね合わせて転写される。最後に、用紙Ｐ上に形成された４色のトナー像は、定着部８において用紙Ｐ上に定着され、スタッカー１２上に排出される。
【００４３】
更に、図２に仮想線で示したように、プリンタ１に着脱可能な現像ユニットケース５５には、その現像ユニット５１のシリアルナンバ等の情報を表すＩＣタグ３１０Ｙ〜３１０Ｋが添付され、プリンタ１の本体側には、そのＩＣタグを読み取るＩＣタグリーダ３２０Ｙ〜３２０Ｋが設けられている。
【００４４】
次に、図４は、この画像形成システムにおける制御系の構成を表すブロック図である。図４に示すように、パソコン８００のパソコン本体８１０は、ＣＰＵ８１１，ＲＯＭ８１２，ＲＡＭ８１３，ハードディスク装置（ＨＤＤ）８１４，及び時計８１５を備えている。そして、このパソコン本体８１０には、ＣＲＴ等のディスプレイ８２０、キーボード８３０、マウス８４０が接続されている（いずれも図１参照）。更に、パソコン本体８１０には、ＵＳＢメモリ９００を装着可能なＵＳＢポート８５０、及び、プリンタ１と接続するためのデータ出力手段の一例としてのプリンタポートインタフェース（プリンタポートＩ／Ｆ）８６０も接続されている。
【００４５】
プリンタ１の制御部１０は、ＣＰＵ１０Ａ，ＲＯＭ１０Ｂ，ＲＡＭ１０Ｃを備えたマイクロコンピュータとして構成され、更に、電源スイッチが切られても記憶内容が消えないようにされた識別情報記憶手段としてのＮＶＲＡＭ１０Ｄを備えている。また、この制御部１０には、前述の給紙部９から定着部８に到る構成の各種アクチュエータ（以下、プリンタエンジン２００ともいう）、前述のモータ７４、プリンタ１の表面に設けられたプリント開始キー２２０Ａを含む操作パネル２２０（図１参照）、パソコン８００と接続するための入力手段の一例としてのプリンタポートインタフェース（プリンタポートＩ／Ｆ）２３０、及び、ＵＳＢメモリ９００を装着可能な入力手段の一例としてのＵＳＢポート２４０などが接続されている。
【００４６】
次に、この制御系で実行される処理について説明する。図５は、制御部１０のＣＰＵ１０Ａが、記録媒体としてのＲＯＭ１０Ｂに記憶されたプログラムに基いて実行する印刷処理を表すフローチャートである。なお、この処理は、プリンタ１の電源投入後に繰り返し実行される。
【００４７】
処理が開始されると、先ずＳ１（Ｓはステップを表す：以下同様）にて、プリンタ１がパソコン８００から画像データの一例としてのファイル名及びファイル更新日時を含む印刷データを受信したか否かが判断される。印刷データが受信されていない場合は（Ｓ１：Ｎ）、Ｓ２にて、操作パネル２２０のプリント開始キー２２０Ａが押下されたか否かが判断される。プリント開始キー２２０Ａが押下されていない場合は（Ｓ２：Ｎ）、処理は再びＳ１へ移行し、このＳ１，Ｓ２のループ処理により、印刷データの受信（Ｓ１：Ｙ）またはプリント開始キーの押下（Ｓ２：Ｙ）のいずれかがなされるまで待機する。
【００４８】
Ｓ１，Ｓ２のループ処理中に、プリント開始キー２２０Ａが押下された場合は（Ｓ２：Ｙ）、続くＳ３にて、ＵＳＢポート２４０に装着されたＵＳＢメモリ９００からファイル名及びファイル更新日時を含む印刷データが読み込まれた後、処理はＳ５へ移行しする。また、Ｓ１，Ｓ２のループ処理中に印刷データが受信された場合は（Ｓ１：Ｙ）、処理はそのままＳ５へ移行する。Ｓ５では、上記受信されまたは読み込まれた印刷データのヘッダが解析され、続くＳ６にて、そのヘッダにモノクロ印刷を指示するデータが添付されているか否かが判断される。
【００４９】
ここで、パソコン８００から印刷データを送信する際には、カラーモード，印刷範囲等の各種設定情報を入力するための印刷用ユーザインタフェース（以下、印刷用ＵＩという）９１０（図６参照）が、プリンタドライバによってディスプレイ８２０に表示される。図６に例示するように、この印刷用ＵＩ９１０には、カラーモード，印刷範囲等の設定情報毎に、テキスト入力部９１１と候補表示ボタン９１２とがそれぞれ設けられ、更に、ＯＫボタン９１３及びキャンセルボタン９１４が設けられている。
【００５０】
通常、使用者はこの印刷用ＵＩ９１０に対して、テキスト入力部９１１にキーボード８３０から適宜のテキスト入力を行うか、または、候補表示ボタン９１２をマウス８４０でクリック（以下、単に「候補表示ボタン９１２を押下」という:他のボタンも同様）して適宜の候補を選択してテキスト入力部９１１に表示するかして、ＯＫボタン９１３を押下する。すると、パソコン８００は、テキスト入力部９１１に表示された内容を指示するデータを、送信すべき印刷データにヘッダとして添付した上で、そのヘッダ及び印刷データをプリンタポートインタフェース８６０から送信する。なお、ヘッダには、識別情報としての印刷データのファイル名やファイル更新日時も記録される。また、キャンセルボタン９１４が押下された場合は、印刷データの送信が中断される。なお、ファイル更新日時はファイル更新日であってもよい。
【００５１】
また、ＵＳＢメモリ９００から印刷データが読み込まれた場合には（Ｓ３）、上記ヘッダに相当するデータ（以下、このデータもヘッダという）が制御部１０において添付される。この場合のヘッダには、デフォルトの設定ではカラー印刷を指示するデータがファイル名及びファイル更新日時のデータと共に添付されるが、設定によりモノクロ印刷を指示するデータが添付されるようにすることも可能である。
【００５２】
そこで、図５のＳ５では、上記ヘッダが解析され、Ｓ６では、そのヘッダの解析結果に基いてモノクロ印刷が指示されているか否かが判断されるのである。そして、カラー印刷が指示されるなど、モノクロ印刷が指示されていない場合は（Ｓ６：Ｎ）、制御手段の一例としてのＳ７にて、その印刷データのファイル名が印刷情報に登録されているか否かが判断される。本実施の形態のプリンタ１は、後述のように、印刷（画像形成）を行った印刷データがモノクロの印刷データであった場合（Ｓ１６：Ｙ）、その印刷データのファイル名及びファイル更新日時を印刷情報としてＮＶＲＡＭ１０Ｄに登録している（Ｓ１７）。但し、この印刷情報は、プリンタ１の出荷時には空である。そこで、プリンタ１の購入直後には、Ｓ７にて否定判断されて、処理はＳ１１へ移行する。
【００５３】
Ｓ１１では、上記印刷データのファイル名及びファイル更新日時がＲＡＭ１０Ｃに記録され、続くＳ１２では、感光体ドラム３がカラーにセットされる。すなわち、Ｓ１２では、モータ７４が駆動され、４個の感光体ドラム３が全て用紙搬送ベルト６に接触される。続く解析手段の一例としてのＳ１３では、上記印刷データが解析され、その解析結果に基き、Ｓ１４にて実際にプリンタエンジン２００が駆動されて前述のように印刷が実行される。続くＳ１５では、全ての印刷データに対する印刷が終了したか否かが判断され、終了していない場合は（Ｓ１５：Ｎ）、処理はＳ１３へ移行して前述のＳ１３，Ｓ１４の処理が繰り返される。
【００５４】
そして、印刷が終了すると（Ｓ１５：Ｙ）、Ｓ１６にて、上記印刷データがモノクロデータであったか否か、より具体的には、イエロー，マゼンタ，シアンのトナーは全く使用することなく印刷がなされたか否かが判断される。上記印刷データが多色のデータであった場合は（Ｓ１６：Ｎ）、そのまま処理は一旦終了する。一方、上記印刷データがモノクロデータであった場合は（Ｓ１６：Ｙ）、ファイル名記憶手段の一例としてのＳ１７にて、上記印刷データのファイル名及びファイル更新日時が、図７に例示するような印刷情報としてＮＶＲＡＭ１０Ｄに登録され、処理が一旦終了する。
【００５５】
また、上記印刷データにモノクロ印刷が指示されていた場合や（Ｓ６：Ｙ）、上記印刷データのファイル名及びファイル更新日時が既に上記印刷情報に登録されていた場合は（Ｓ７：Ｙ）、処理はＳ２１へ移行する。
【００５６】
Ｓ２１では、感光体ドラム３がモノクロにセットされる。すなわち、モータ７４が駆動され、感光体ドラム３Ｙ，３Ｍ，３Ｃが用紙搬送ベルト６から隔離される。続くＳ２２では、上記印刷データが解析され、その解析結果に基き、Ｓ２３にて実際にプリンタエンジン２００が駆動されてブラックのトナーのみを使用したモノクロ印刷が実行される。なお、上記のように感光体ドラム３Ｙ，３Ｍ，３Ｃが用紙搬送ベルト６から隔離された状態では、感光体ドラム３Ｙ，３Ｍ，３Ｃ、及び、現像ローラ５２Ｙ，５２Ｍ，５２Ｃも停止したまま印刷がなされる。続くＳ２４では、全ての印刷データに対する印刷が終了したか否かが判断され、終了していない場合は（Ｓ２４：Ｎ）、処理はＳ２２へ移行して前述のＳ２２，Ｓ２３の処理が繰り返される。そして、印刷が終了すると（Ｓ２４：Ｙ）、そのまま処理は一旦終了する。
【００５７】
このように、本実施の形態の画像形成システムでは、パソコン８００から受信され、若しくはＵＳＢメモリ９００から読み込まれた印刷データにモノクロ印刷が指示されていない場合であっても（Ｓ６：Ｎ）、印刷終了後に印刷データがモノクロデータであったと判断された場合は（Ｓ１６：Ｙ）、その印刷データのファイル名及びファイル更新日時が印刷情報として登録される（Ｓ１７）。そして、パソコン８００から新たに受信され、若しくはＵＳＢメモリ９００から新たに読み込まれた印刷データにカラー印刷が指示されている場合であっても（Ｓ６：Ｎ）、その印刷データのファイル名及びファイル更新日時が上記印刷情報に登録されていた場合は（Ｓ７：Ｙ）、感光体ドラム３をモノクロにセットして印刷がなされる（Ｓ２１〜Ｓ２４）。すなわち、感光体ドラム３Ｙ，３Ｍ，３Ｃが用紙搬送ベルト６から隔離され、感光体ドラム３Ｙ，３Ｍ，３Ｃ、及び現像ローラ５２Ｙ，５２Ｍ，５２Ｃも停止された状態で印刷がなされる。このため、モノクロの印刷データの印刷時におけるイエロー，マゼンタ，シアンのトナーの劣化や消耗を抑制することが、迅速かつ的確に行える。
【００５８】
また、本実施の形態では、印刷用ＵＩ９１０にてモノクロ印刷が指示されていた場合は（Ｓ６：Ｙ）、Ｓ１３による解析処理やＳ１７によるファイル名の登録処理へは移行しないので、次のような更なる効果が生じる。印刷用ＵＩ９１０では、本来は多色の印刷データに対してもモノクロ印刷が指示される場合がある。この場合は、印刷データがパソコン８００にてモノクロに変換された上でプリンタ１へ入力されるので、その印刷データに対してＳ１３以降の処理が実行されると、その印刷データのファイル名及びファイル更新日時が印刷情報に登録されてしまう。これに対して、本実施の形態では、印刷用ＵＩ９１０にてモノクロ印刷が指示されていない場合（Ｓ６：Ｎ）にのみＳ１７へ移行可能なので、多色の印刷データのファイル名が誤って印刷情報に登録されてしまうのを防止することができる。また、本実施の形態では、ファイル名とファイル更新日時とを対にして印刷情報に登録している。このため、同一ファイル名の印刷データがモノクロからカラーに変換された場合には、ファイル更新日時が異なるためＳ７にて否定判断され、その印刷データをカラー印刷することができる。
【００５９】
なお、印刷データを解析してモノクロデータか否かを判断する処理は、パソコン８００にて実行されてもよい。図８，図９は、そのような実施の形態の処理を表すフローチャートであり、図８はパソコン８００における処理を表している。なお、ＣＰＵ８１１は、図６に例示したような印刷用ＵＩ９１０においてＯＫボタン９１３が押下されると、記録媒体としてのＨＤＤ８１４に記憶されたプログラムに基いてこの処理を開始する。
【００６０】
処理が開始されると、先ず、Ｓ５０にて、印刷用ＵＩ９１０でカラーモードとしてモノクロ印刷が指示されているか否かが判断される。モノクロ印刷が指示されていない場合は（Ｓ５０：Ｎ）、制御手段の一例としてのＳ５１にて、その印刷データのファイル名が印刷情報に登録されているか否かが判断される。本実施の形態では、前述のような印刷情報がパソコン本体８１０のＨＤＤ８１４に登録されている。そこで、Ｓ５１では、印刷用ＵＩ９１０により印刷が指示された印刷データのファイル名及びファイル更新日時が、その印刷情報に登録されているか否かが判断されるのである。パソコン８００の購入直後には、印刷情報は空であり、Ｓ５１にて否定判断されて、処理はＳ５２へ移行する。
【００６１】
解析手段の一例としてのＳ５２では、その印刷データの全体が解析され、続くＳ５３では、その解析結果に基き、上記印刷データがモノクロの印刷データであるか否かが判断される。モノクロの印刷データでない場合は（Ｓ５３：Ｎ）、Ｓ５４にて、その印刷データに添付されるヘッダに、当該印刷データがカラーである旨の情報が保存される。一方、上記印刷データがモノクロの印刷データである場合は（Ｓ５３：Ｙ）、Ｓ５６にて、その印刷データに添付されるヘッダに当該印刷データがモノクロである旨の情報が保存され、更に、ファイル名記憶手段の一例としてのＳ５７にて、上記印刷情報にその印刷データのファイル名及びファイル更新日時が登録される。また、印刷用ＵＩ９１０でモノクロ印刷が指示された場合や（Ｓ５０：Ｙ）、上記印刷データのファイル名及びファイル更新日時が既に上記印刷情報に登録されていた場合は（Ｓ５１：Ｙ）、Ｓ５８にて、上記印刷データに添付されるヘッダにその印刷データがモノクロである旨の情報が保存される。Ｓ５４，Ｓ５７，またはＳ５８に続くＳ５９では、プリンタポートインタフェース８６０を介して当該印刷データ及びそのヘッダの送信が開始され、処理が一旦終了する。
【００６２】
次に、図９は、この実施の形態における制御部１０の処理を表すフローチャートである。なお、制御部１０は、パソコン８００から印刷データを受信するとこの処理を開始する。処理が開始されると、先ず、Ｓ７１にて、ヘッダに保存されている上記情報がモノクロであるか否かが判断される。そして、上記情報がモノクロの場合は（Ｓ７１：Ｙ）、Ｓ７２にて感光体ドラム３がモノクロにセットされた後、上記情報がモノクロでない場合は（Ｓ７１：Ｎ）、Ｓ７３にて感光体ドラム３がカラーにセットされた後、それぞれ処理はＳ７４へ移行する。Ｓ７４では、受信された印刷データを解析しながらプリンタエンジン２００を駆動することによって印刷が実行された後、処理は一旦終了する。
【００６３】
本実施の形態でも、先の実施の形態と同様に、モノクロの印刷データの印刷時におけるイエロー，マゼンタ，シアンのトナーの劣化や消耗を抑制することが、迅速かつ的確に行える。また、本実施の形態でも、印刷用ＵＩ９１０にてモノクロ印刷が指示されていた場合は（Ｓ５０：Ｙ）、Ｓ５２による解析処理やＳ５７によるファイル名の登録処理へは移行しないので、多色の印刷データのファイル名が誤って印刷情報に登録されてしまうのを防止することができる。更に、本実施の形態でも、ファイル名とファイル更新日時とを対にして印刷情報に登録しているので、同一ファイル名の印刷データがモノクロからカラーに変換された場合には、その印刷データをカラー印刷することができる。
【００６４】
なお、本発明は上記各実施の形態に何ら限定されるものではなく、本発明の要旨を逸脱しない範囲で種々の形態で実施することができる。例えば、本発明は、いわゆる中間転写ベルトを用いた画像形成装置にも適用することができ、この場合、中間転写ベルト及び転写ローラが転写手段に相当する。また、上記各実施の形態では、モノクロ印刷すべきかカラー印刷すべきかといった指令が情報としてヘッダに保存されるが、これらの指令は画像データとは別体のコマンドであってもよい。
【００６５】
また、識別情報は、ファイル名、ファイル名及び更新日（更新日時）、画像データの一部、画像データのハッシュデータ、サムネイル、及びそれらの組み合わせで構成されてもよい。
【００６６】
更に、上記各実施の形態では、モノクロ画像の印刷時には感光体ドラム３Ｙ，３Ｍ，３Ｃを用紙搬送ベルト６から隔離しているが、現像ユニット５１Ｙ，５１Ｍ，５１Ｃを感光体ドラム３Ｙ，３Ｍ，３Ｃから離してもよい。この場合、感光体ドラム３Ｙ，３Ｍ，３Ｃは印刷中に回転させてもよく、現像ローラ５２Ｙ，５２Ｍ，５２Ｃを停止することによってイエロー，マゼンタ，シアンのトナーの劣化や消耗を抑制することができる。
【図面の簡単な説明】
【００６７】
【図１】本発明が適用された画像形成システムの構成を表す外観図である。
【図２】その画像形成システムのカラーレーザプリンタの内部構成を表す概略断面図である。
【図３】その内部構成のうちの、感光体ドラムの移動機構の構成を表す模式図である。
【図４】上記画像形成システムにおける制御系の構成を表すブロック図である。
【図５】その制御系のプリンタ側で実行される印刷処理を表すフローチャートである。
【図６】その制御系のパソコンにおける印刷用ＵＩを例示する模式図である。
【図７】上記印刷処理に使用される印刷情報を例示する説明図である。
【図８】上記制御系におけるパソコン側の処理の変形例を表すフローチャートである。
【図９】上記制御系におけるプリンタ側の処理の変形例を表すフローチャートである。
【符号の説明】
【００６８】
１…カラーレーザプリンタ        ３…感光体ドラム        ６…用紙搬送ベルト
８…定着部        ９…給紙部        １０…制御部        １０Ａ…ＣＰＵ
１０Ｂ…ＲＯＭ                  １０Ｄ…ＮＶＲＡＭ      ３１…帯電器
４１…スキャナユニット          ５１…現像ユニット      ５２…現像ローラ
５５…現像ユニットケース        ６１…転写ローラ        ７２…移動部材
７２Ａ，７２Ｂ…誘導穴          ７３…リンク            ７４…モータ
２００…プリンタエンジン      ２２０…操作パネル    ２２０Ａ…プリント開始キー
２３０，８６０…プリンタポートインタフェース      ２４０，８５０…ＵＳＢポート
８００…パソコン                ８１１…ＣＰＵ      ８１４…ハードディスク装置
９００…ＵＳＢメモリ            ９１０…印刷用ＵＩ      Ｐ…用紙
【図１】
2007322698.tif 000003
【図２】
2007322698.tif 000004
【図３】
2007322698.tif 000005
【図４】
2007322698.tif 000006
【図５】
2007322698.tif 000007
【図６】
2007322698.tif 000008
【図７】
2007322698.tif 000009
【図８】
2007322698.tif 000010
【図９】
2007322698.tif 000011